(57)【要約】【課題】  フェンスの断線を検知できるだけでなく、その断線箇所を簡単且つ精度良く特定できるとともに、既存のフェンスにも簡単に適用できるメンテナンス性が良好で構造が簡単なフェンス断線検知システムの提供を目的としている。【解決手段】  本発明のフェンス断線検知システム１は、フェンスに沿って設けられる検知線２と、検知線２に電気的に接続され、検知線２を電気的に監視するとともに、検知線２の断線を検知する監視・検知手段４と、監視・検知手段４に設けられ、検知線２に高周波信号を供給する高周波信号発振手段６と、検知線２の断線部５０を通じて発せられる高周波信号を受信することにより、検知線２の断線箇所５０を特定するための携帯型の検知センサ５２とを備えている。【選択図】図１
2005267309.tif 000002
【特許請求の範囲】
【請求項１】
フェンスに沿って設けられる検知線と、前記検知線に電気的に接続され、前記検知線の断線を検知する検知手段と、前記検知手段に設けられ、前記検知線に高周波信号を供給する高周波信号発振手段と、前記検知線の断線部を通じて発せられる前記高周波信号を受信することにより、前記検知線の断線箇所を特定するための携帯型の検知センサとを備えていることを特徴とする防犯用断線検知システム。
【請求項２】
前記検知手段は、前記検知線の断線が検知された時に報知する報知手段を有していることを特徴とする請求項１に記載の防犯用断線検知システム。
【請求項３】
前記検知手段は、その構成要素の少なくとも一部が機械的に分離可能になっていることを特徴とする請求項１または請求項２に記載の防犯用断線検知システム。
【発明の詳細な説明】
【技術分野】
【０００１】
本発明は、第三者の侵入防止用に設けた検知線の断線を検知するとともに、その断線箇所を容易に特定できる防犯用断線検知システムに関する。
【背景技術】
【０００２】
一般に、工場や空港等では、その内部への人や車両等の侵入を防止する目的で、敷地の周囲に広範囲にわたってフェンスが設置される。しかしながら、フェンスを乗り越えて第三者が敷地内へ侵入した際に、そのような不測の事態を認識できるように検知システムが従来から提案され、また、実際に使用されている。
【０００３】
そのような検知システムは、一般に、フェンスに沿って検知線を付設し、第三者の不法侵入に伴って生じる検知線の断線を認識できるようになっている（例えば、特許文献１および特許文献２参照）。具体的には、例えば、検知線が電気的または光学的に常時監視され、侵入者等によって検知線が断線した際に、ブザーを鳴らしたり、ランプを点灯させるなどして、その旨を報知するようになっている。
【０００４】
【特許文献１】特開平１１−１８５１７４号公報
【特許文献２】特開平１１−１２０４５２号公報
【発明の開示】
【発明が解決しようとする課題】
【０００５】
しかしながら、従来の検知システムは、その構造が複雑であり、その断線位置の検出精度が満足できるものではなかった。そのため、結局、断線箇所を含む比較的広い現場に出向いて、断線箇所を目視で入念に確認する必要があった。しかも、断線が軽微な場合には、目視で確認することが困難であった。一方、断線位置の検出精度を上げようとすると、検知構成が複雑になり、コストがかかるといった問題が生じていた。
【０００６】
また、従来の検知システムは、前述したように構造が複雑で専用のものであることから、既存のフェンスにそのまま適用することが難しく、また、メンテナンス性も悪かった。
【０００７】
本発明は、前記事情に着目してなされたものであり、その目的とするところは、検知線の断線を検知できるだけでなく、その断線箇所を簡単且つ精度良く特定できるとともに、既存のフェンスにも簡単に適用できるメンテナンス性が良好で構造が簡単な防犯用断線検知システムを提供することにある。
【課題を解決するための手段】
【０００８】
前記課題を解決するために、請求項１に記載された防犯用断線検知システムは、フェンスに沿って設けられる検知線と、前記検知線に電気的に接続され、前記検知線の断線を検知する検知手段と、前記検知手段に設けられ、前記検知線に高周波信号を供給する高周波信号発振手段と、前記検知線の断線部を通じて発せられる前記高周波信号を受信することにより、前記検知線の断線箇所を特定するための携帯型の検知センサとを備えていることを特徴とする。
【０００９】
請求項２に記載された発明は、請求項１に記載の発明において、前記検知手段は、前記検知線の断線が検知された時に報知する報知手段を有していることを特徴とする。
【００１０】
請求項３に記載された発明は、請求項１又は２に記載の発明において、前記検知手段は、その構成要素の少なくとも一部が機械的に分離可能になっていることを特徴とする。
【発明の効果】
【００１１】
請求項１に記載の発明によれば、防犯用断線検知システムは、検知線を通じて高周波信号を流すとともに、検知線の断線部を通じて発せられる前記高周波信号を携帯型の検知センサで受信することにより、前記検知線の断線箇所を特定するようになっているため、検知線の断線箇所を簡単且つ精度良く（確実に）知ることができる。また、高周波信号を発振する高周波発振器等の高周波発振手段を検知線に接続し、携帯型の検知センサを持って検知線に沿ってトレースするだけで、検知線の断線箇所を特定できるため、構造が簡単であるとともに、従来方式の既設検知線をそのまま利用することができる（既存のフェンスにも簡単に適用できる）。
【００１２】
請求項２に記載された発明によれば、請求項１に記載された発明と同様の効果が得られるとともに、検知線が断線したことを、前記報知手段によって簡単に認識することができる。
【００１３】
請求項３に記載された発明によれば、請求項１又は２に記載された発明と同様の効果が得られるとともに、メンテナンス性が向上し、前記検知手段の故障の修理を簡単に行なうことができる。
【発明を実施するための最良の形態】
【００１４】
以下、図面を参照しながら、本発明に係る防犯用断線検知システムの一実施形態について詳しく説明する。
【００１５】
図１には、本発明の一実施形態に係る防犯用断線検知システム１が示されている。図示のように、本実施形態の防犯用断線検知システム１は、人や車両等の侵入を防止する目的で工場や空港等の敷地の周囲に広範囲にわたって設置されたフェンスに沿って設けられる検知線２と、検知線２に電気的に接続され、検知線２を電気的に監視するとともに、検知線２の断線を検知する検知手段としての監視ステーション４とを有している。この場合、検知線２の設置形態は任意であり、例えばテンションをかけることなく、垂れ下がった状態で検知線２を設置しても良い。
【００１６】
監視ステーション４は、電圧比較部８を有するとともに、この電圧比較部８を介して検知線２と電気的に接続されており、通常、直流の抵抗測定法により、検知線２の断線を検知するようになっている。
【００１７】
また、監視ステーション４は、検知線２の断線が検知された時にその旨を報知する報知手段を有している。この報知手段は、電圧比較部８に電気的に接続された制御部１２と、制御部１２に電気的に接続されたブザー駆動部１４と、ブザー駆動部１４によって駆動され且つ検知線２の断線を音で報知するブザー１８とから成る。
【００１８】
尚、本実施形態では、検知線２の断線をブザー１８によって音で報知するようになっているが、ランプを点灯させて報知するなど、報知手段としては、他の任意の手段を採用することができる。また、監視ステーション４は、電圧比較部８に接続されたインタフェース（Ｉ／Ｆ）部２０を介して、イーサネット（登録商標）等の通信回線に接続されていても良い。
【００１９】
図２には、検知線２の具体的な配置形態の一例が示されている。図示のように、検知線２は、閉ループ状を成して監視ステーション４に関連付けられた電気回路（受信回路）に接続されており、例えば５つのブロックＡ，Ｂ，Ｃ，Ｄ，Ｅに分けられている（５チャンネル構成）。具体的には、各ブロックの検知線２は、直径が約０．６５ｍｍのエナメル線によって形成されており、約１ｋｍにわたって閉ループ状に延びている。また、各ブロックの検知線２は、中継ボックス（端子ボックス）３０に接続されるとともに、地中に埋設された直径が約０．５ｍｍの多芯通信ケーブル３５を介して中継局３２に接続されている。
【００２０】
また、この中継局３２には、直径が約０．５ｍｍの多芯通信ケーブル３５を介して、監視ステーション４が接続されている（図では、監視ステーション４の侵入検知警報装置（５チャンネル）４２が中継ボックス４０を介して中継局３２に接続されている）。
【００２１】
また、図１に示されるように、監視ステーション４は、検知線２に高周波信号（例えば、変調周波数が１ｋＨｚの電波）を供給する高周波信号発振手段としての高周波発振部６を有している。この場合、高周波発振部６は、電圧比較部８を介して、検知線２に電気的に接続されている。
【００２２】
また、本実施形態の防犯用断線検知システム１は、検知線２の断線箇所５０を通じて発せられる高周波信号を受信することにより検知線２の断線箇所５０を特定するための携帯型の検知センサ（ラジオ等であっても良い）５２を備えている。このような構成では、検知線２が断線した場合、図３に示されるように、携帯型の検知センサ５２を持って検知線２に沿ってトレースするだけで、検知線２の断線箇所５０を簡単に特定することができる。
【００２３】
尚、本実施形態において、監視ステーション４は、その構成要素の少なくとも一部が機械的に分離可能になっている、具体的には、例えば、検知線の１ブロック毎に、スロットもしくはプラグインソケット式の着脱構造を介して、電圧比較部８と高周波発振部６とを分離できるようになっている。
【００２４】
以上説明したように、本実施形態の防犯用断線検知システム１は、フェンスに沿って設けられる検知線２と、検知線２に電気的に接続され、検知線２を電気的に監視するとともに、検知線２の断線を検知する検知手段としての監視ステーション４と、監視ステーション４に設けられ、検知線２に高周波信号を供給する高周波信号発振手段としての高周波発振部６と、検知線２の断線部５０を通じて発せられる高周波信号を受信することにより、検知線２の断線箇所５０を特定するための携帯型の検知センサ５２とを備えている。
【００２５】
したがって、このような構成では、検知線２を通じて高周波信号を流すとともに、検知線２の断線部５０を通じて発せられる高周波信号を携帯型の検知センサ５２で受信することにより、検知線２の断線箇所５０を特定することができるため、検知線２の断線箇所５０を簡単且つ精度良く（確実に）知ることができる。
【００２６】
また、高周波信号を発振する高周波発振部６を検知線２に接続し、携帯型の検知センサ５２を持って検知線２に沿ってトレースするだけで、検知線２の断線箇所５０を特定できるため、構造が簡単であるとともに、従来方式の既設検知線をそのまま利用することができる（既存のフェンスにも簡単に適用できる）。
【００２７】
本実施形態の防犯用断線検知システム１において、監視ステーション４は、検知線２の断線が検知された時にその旨を報知するブザー１８を有している。したがって、検知線２が断線したことを、ブザー１８の音によって簡単に認識することができる。
【００２８】
本実施形態の防犯用断線検知システム１において、監視ステーション４は、その構成要素の少なくとも一部が機械的に分離可能になっている。そのため、メンテナンス性が向上し、監視ステーション４の故障の修理を簡単に行なうことができる。
【００２９】
尚、本発明は、侵入防止用のあらゆるフェンスに適用できることは言うまでもなく、断線を検知する必要がある様々なシステムに適用することができる。
【図面の簡単な説明】
【００３０】
【図１】本発明の一実施形態に係る防犯用断線検知システムの概略構成図である。
【図２】図１の防犯用断線検知システムの検知線の具体的な配置形態の一例を示す回路結線図である。
【図３】図１の防犯用断線検知システムの使用態様を示す図である。
【符号の説明】
【００３１】
１    防犯用断線検知システム
２    検知線
４    監視ステーション（検知手段）
６    高周波発振部（高周波信号発振手段）
５２  検知センサ
【図１】
2005267309.tif 000003
【図２】
2005267309.tif 000004
【図３】
2005267309.tif 000005